(57)【要約】【課題】傾斜面の最適な傾斜角度を選択し、傾斜面全長の短縮化を図り、商品整列および棚移動の円滑化と操作性の向上化を得るショーケースを提供する。【解決手段】前面に開口部を備えたショーケース本体７内に展示室２を形成し、前端部が展示室から突没自在に伸縮する棚支持機構２０を展示室に設け、この棚支持機構にスライド棚を支持して展示室から出入り自在とし、棚支持機構は、傾斜始端５０から傾斜終端５１に亘って傾斜する傾斜面５３を備えたスライド支持部３０と、このスライド支持部の傾斜面における傾斜終端位置から展示室の突出位置まで進退自在なスライドレール４０を備え、スライド棚は展示室内に収容された状態で、スライド棚後端１ａが傾斜面の傾斜始端と一致した位置にあり、かつ前端１ｂが傾斜終端を跨いでスライドレール上に取付けられる。【選択図】    図２
2004230058.tif 000002
【特許請求の範囲】
【請求項１】
前面に開口部を備えたショーケース本体と、このショーケース本体内に形成される展示室と、この展示室内に設けられ前端部が展示室から突没自在に伸縮する棚支持機構と、この棚支持機構に支持され展示室から出入り自在なスライド棚とを具備したショーケースにおいて、
上記棚支持機構は、傾斜始端から傾斜終端に至る傾斜面を備えたスライド支持部と、このスライド支持部の傾斜面における傾斜終端位置から上記展示室の突出位置まで進退自在なスライドレールとを備え、
上記スライド棚は上記展示室内に収容された状態で、スライド棚後端が上記傾斜面の傾斜始端と一致した位置にあり、かつスライド棚前端が傾斜終端を跨いで上記スライドレール上に取付けられることを特徴とするショーケース。
【請求項２】
上記スライド支持部における傾斜面は、傾斜始端側が比較的緩い傾斜角度の第１のスロープと、傾斜終端側が上記第１のスロープよりも急な傾斜角度の第２のスロープとから構成されることを特徴とする請求項１記載のショーケース。
【請求項３】
上記スライド棚の前端部に、上記棚支持機構に係脱自在なＮ形ストッパが設けられることを特徴とする請求項１および請求項２のいずれかに記載のショーケース。
【請求項４】
上記スライド棚とスライド支持部における左右両側の合せ面に、高滑降特性を備えた滑走板が、それぞれ一対づつ設けられることを特徴とする請求項１ないし請求項３のいずれかに記載のショーケース。
【請求項５】
上記スライド支持部の傾斜面は、上記スライド棚の左右両側部を支持するよう左右両側部に設けられ、これら左右両側の傾斜面間に亘って固定板が架設されることを特徴とする請求項１ないし請求項４のいずれかに記載のショーケース。
【請求項６】
上記スライド棚はヒーターを内蔵していて、上記ヒーターに接続されるリード線はリード支えに支持され、このリード支えはリード線の動きに沿うように一端を上記固定板に回動自在に取付けられることを特徴とする請求項１ないし請求項５のいずれかに記載のショーケース。
【請求項７】
上記ショーケース本体における上記展示室の背面側に冷気循環用ダクトが設けられ、この冷気循環用ダクトとスライド棚背面側端部との間に上記リード線を収容するスペースが備えられることを特徴とする請求項６記載のショーケース。
【請求項８】
上記冷気循環用ダクトに、リード線のコネクタ接続および取外し、取付けなどの作業をなす際のスペースとなる作業用開口部が設けられ、上記作業終了後に上記作業用開口部は蓋板によって閉成されることを特徴とする請求項７記載のショーケース。
【発明の詳細な説明】
【０００１】
【発明の属する技術分野】
本発明は、ペットボトル飲料や缶飲料等の商品を陳列するショーケースに係り、特に商品を載置して展示室内に収容し、かつ展示室から引出し可能としたスライド棚に対する棚支持機構の改良に関する。
【０００２】
【従来の技術】
ペットボトル飲料や缶飲料等の商品を展示室に多数配列して収納するショーケースは、商品の補充等の作業を容易にするため、商品を載置する棚装置がショーケース本体の前方に引き出せる構造になっているものが多い。
【０００３】
従来の引出し式棚装置では、展示室に棚を水平姿勢で収容し、棚を展示室から引出すのに水平方向にスライドさせていた。そのため、商品の先入れ・先出しを行うには、売れ残り商品を手間側に移動させなければならず手間がかかる。手前側に空き空間がある状態で棚を引き出すと、勢いによっては商品が倒れ込む。
【０００４】
そこで、たとえば［実用新案登録公報１］が開示されている。
【０００５】
【実用新案登録公報１】
実用新案登録  第２５２９０５１号
ここでは、展示室に棚を収容した状態で、棚を前方に向けて傾斜させている。顧客が前面の扉体を開放して最前位の商品を取出すと、後列の商品が棚の傾斜に沿って滑り、空き空間を後方に残す。
【０００６】
上記棚を手前側に引くと、棚は展示室から引き出されるが、完全に引き出した状態で棚が略水平姿勢となるように構成される。そのため、棚の後方に形成される空き空間に商品を補充し易い。
【０００７】
【発明が解決しようとする課題】
ところで、上述の構成の棚装置では、棚を展示室内に傾斜して支持し、その傾斜角度に沿って棚を引き出すようになっているので、傾斜角度の設定が極めて難しい。
【０００８】
すなわち、傾斜角度を急にし過ぎると、後列の商品の重量の合計が最前位の商品にかかって、最前位の商品の取出しがし難い。最前位の商品を取出したあと、後列の全ての商品が棚上を同時に、かつ急激に滑って不揃いになる。棚を引き出すと、棚が急激に移動して商品が前面に飛び出し易く危険である。
【０００９】
傾斜角度を緩くし過ぎると、最前位の商品を取出したあとで後列の商品が滑り難く、自動整列ができない。棚を引き出す際に、棚がスムーズに移動せず、時間がかかって操作性が悪い。
【００１０】
そして、上述の棚装置では棚を展示室に収容した状態で、傾斜面を構成する傾斜始端と傾斜終端の位置に棚の後端と前端の位置が一致している。棚を引き出したとき、棚前端は傾斜始端から直ちに水平方向に移動するが、棚後端は傾斜始端から傾斜後端に至る傾斜面全長に亘って移動しなければならない。
【００１１】
したがって、上述の棚装置では棚の移動距離が長くなり、棚後端が傾斜面全長を滑って傾斜始端を通過し、棚全体が水平姿勢になるまでに時間がかかり、操作性が悪いものである。
【００１２】
本発明は上記事情に着目してなされたものであり、その目的とするところは、展示室に棚を収容した状態で棚を傾斜して支持し、棚を展示室から引き出した状態で略水平姿勢にすることを前提として、傾斜面の最適な傾斜角度を選択するとともに、傾斜面全長の短縮化を図って、商品整列および棚移動の円滑化と操作性の向上化を図れるショーケースを提供しようとするものである。
【００１３】
【課題を解決するための手段】
上記課題を解決し目的を達成するために本発明のショーケースは、前面に開口部を備えたショーケース本体内に展示室を形成し、前端部が展示室から突没自在に伸縮する棚支持機構を展示室に設け、この棚支持機構にスライド棚を支持して展示室から出入り自在とし、
上記棚支持機構は、傾斜始端から傾斜終端に亘って傾斜する傾斜面を備えたスライド支持部と、このスライド支持部の傾斜面における傾斜終端位置から展示室の突出位置まで進退自在なスライドレールを備え、
上記スライド棚は展示室内に収容された状態で、スライド棚後端が傾斜面の傾斜始端と一致した位置にあり、かつスライド棚前端が傾斜終端を跨いでスライドレール上に取付けられる。
【００１４】
このような課題を解決する手段を採用することにより、傾斜面の最適な傾斜角度を選択できるとともに、傾斜面全長の短縮化を図って、商品整列および棚移動の円滑化と操作性の向上化を得る。
【００１５】
【発明の実施の形態】
以下、本発明の実施の形態を図面にもとづいて説明する。
図１はショーケースの一部を省略した外観図であり、図２はショーケースの概略の断面図である。
【００１６】
特に、図２では後述するように、ペットボトル飲料や缶飲料等の商品Ｓを載置・陳列したスライド棚１を展示室２から出し入れする状態を上下に亘って順に示している。
【００１７】
このショーケースは、下部側に冷凍サイクルを構成する圧縮機３や凝縮器４および凝縮器に対向して配置される送風ファン５を収容する機械室６と、この機械室６の上部に上記展示室２を備えたショーケース本体７からなる。
【００１８】
上記展示室２は前面に開口部８が設けられ、展示室２の左右両側面には側板（ガラス板）９が嵌め込まれている。上記展示室２の上下面、背面および左右後方の両側面には断熱材１０が取付けられ、展示室２の各面を完全に断熱材１０で覆うことにより、展示室２の断熱構造が得られている。
【００１９】
上下面の断熱材１０および背面の断熱材１０と所定間隔を存して区画板１１が一体に張り巡らされ、これら区画板１１と上記左右両側板９とで囲まれる空間が実質的な展示室２となる。この展示室２には上下方向に所定間隔を存して複数段のスライド棚１が平行に取付けられている。
【００２０】
展示室２前面の開口部８を介して、スライド棚１に載置・陳列してある商品を取出すことができる。そして、後述するように、必要に応じてスライド棚１の少なくとも一部を展示室２から引き出すことができる。
【００２１】
一方、上下面区画板１１のそれぞれ前端部と上記断熱材１０との間に開口部が形成される。下面区画板１１と断熱材１０とで形成される開口部を吸込み口１２と呼び、上面区画板と断熱材とで形成される開口部を吹出し口１３と呼ぶ。
【００２２】
下面区画板１１と断熱材１０との間隙に冷気循環用送風機１４が配置され、背面区画板１１と断熱材１０との間隙に上記圧縮機３・凝縮器４などとともに冷凍サイクルを構成する蒸発器１５が配置される。
【００２３】
したがって、上記冷気循環用送風機１４を駆動することにより、吸込み口１２から吸込んだ空気を下面区画板１１と断熱材１０との間隙から蒸発器１５を介して背面と上部の間隙に導き、さらに吹出し口１３から吹出し案内するよう、各区画板１１と断熱材１０との間に冷気循環用ダクト１６が形成される。
【００２４】
上記吸込み口１２を上方に向けて開口し、上記吹出し口１３を下方に向けて開口しているので、吹出し口１３から吹出される空気が吸込み口１２に吸込まれ易く、冷気は効率よく展示室の前面側と冷気循環用ダクト１６を循環する。
【００２５】
特に図示していないが、上記背面区画板１１には多数の小孔からなる冷気導通孔が開口されていて、冷気循環用ダクト１６に導かれる冷気の一部は展示室２内に円滑に導入される。
【００２６】
つぎに、上記スライド棚１と、このスライド棚に対する支持構造について、図１，２とともに図３ないし図５にもとづいて詳述する。
図３はスライド棚１の展示室２収容状態と、展示室２から引き出した状態を併せて描いた構成図、図４（Ａ）はスライド棚１を展示室２に収容した状態の斜視図、図４（Ｂ）は展示室２から引き出した状態の斜視図、図５（Ａ）（Ｂ）（Ｃ）はスライド棚１の動きを順に、かつ模式的に示す説明図である。
【００２７】
上記展示室２には、上記商品Ｓを直接載置し、かつ陳列状態となすスライド棚１と、このスライド棚を支持し、スライド棚を展示室２に収容する位置から少なくともスライド棚一部が展示室から突出する位置に移動自在とした棚支持機構２０を備えている。
【００２８】
はじめに、上記棚支持機構２０から説明すると、これは後述する傾斜面５３を備えたスライド支持部３０と、このスライド支持部に取付けられるスライドレール４０とから構成される。
【００２９】
上記スライド支持部３０は、その後端縁に上記背面区画板１１の冷気導通孔に掛脱自在なフック片３１が一体に設けられ、前端が展示室２の前面近傍まで延在する左右一対の支持側片３２を備えている。
【００３０】
各支持側片３２は、スライド棚１の左右両側部にそれぞれ対向して設けられている。この上端縁は背面側端部から前面側の中途部までが水平で、この水平端部から前端部までは所定の角度に傾斜する。
【００３１】
上記支持側片３２の上端縁は内側に折曲され、互いに対向する。したがって、支持側片３２上端は水平面３２ａと傾斜面３２ｂとが連設されることになる。これら支持側片３２の水平面３２ａ全体と傾斜面３２ｂ一部に亘って固定板３３が掛け渡される。
【００３２】
上記固定板３３と各支持側片３２とは取付けねじ等で取付け固定され、この固定板３３によって左右の支持側片３２相互が架設状態にある。上記支持側片３２は後端フック片３１が背面区画板１１に掛止するだけの不安定な状態にあるが、固定板３３を架設することにより取付け安定性が向上する。
【００３３】
左右両側の支持側片３２における上端折曲片で、かつ傾斜面３２ｂに直接、もしくは上記固定板３３を介して、上端折曲片と同一幅に形成された固定滑走板３４が取付けられる。
【００３４】
この固定滑走板３４は、高滑走特性を備えた素材である、たとえばポリアセタール樹脂材からなる。上記素材は高滑走特性ばかりでなく機械的強度が大であって、耐摩耗性に優れている。
【００３５】
上記スライドレール４０は、支持側片３２に取付け固定される固定側レール４１と、この固定側レールに対して移動自在に掛合する可動側レール４２とから構成される。
【００３６】
なお説明すれば、上記固定側レール４１は支持側片３２の側面部下端縁に沿って取付けられていて、この前端部は支持側片３２前端から突出している。上記可動側レール４２は固定側レール４１に最大限押し込んだ状態で、その前端部は固定側レールの前端部から突出し、かつ展示室２前部に位置する。
【００３７】
固定側レール４１と可動側レール４２との間には、コロあるいはベアリングなどの回転部材が介設されていて、固定側レール４１に対して可動側レール４２が水平方向に移動自在になっている。
【００３８】
そして、可動側レール４２を固定側レール４１から最大限引き出した状態で、可動側レール４２の前端部は展示室２から突出する。この位置での可動側レール４２の移動規制および位置の保持は、固定側レール４１と可動側レール４２との間に設けられるストッパ部材の作用による。
【００３９】
上記スライド棚１は、商品Ｓを支持する底面部ａと、この底面部の周端縁に沿って一体に立ち上がり形成される側片部ｂを備えている。特に、左右両側の側片部ｂは下方に一体に突出していて、上記支持側片３２の外側面を覆うように形成される。
【００４０】
スライド棚１の底面部ａ下面で、かつ後部側の左右両側に、上記固定滑走板３４と同一素材で、同一幅寸法の移動滑走板４５が取付けられる。この移動滑走板４５は、スライド棚１の位置によっては上記固定滑走板３４上に載る。
【００４１】
上記スライド棚１の前端部はヒンジ具４６を介してスライドレール４０の可動側レール４２前端部に取付けられる。このスライド棚１の前端部を除く他の部分は、上記棚支持機構２０に対して自由状態となっている。
【００４２】
このことから、可動側レール４２の固定側レール４１からの突出位置によっては、スライド棚１は後端のみ、もしくは後部が支持側片３２上に載ったり、スライド棚１全体が可動側レール４２上に載る。
【００４３】
また、上記ヒンジ具４６近傍のスライド棚１底面（もしくは、可動側レール４２前端）には、板ばね材を略Ｎ状に折曲加工してなるＮ形ストッパ４７が取付けられる。このＮ形ストッパ４７は、固定側レール４１前端に取付けられる掛止片４８に掛脱自在である。
【００４４】
すなわち、スライド棚１を展示室２に収容した状態でＮ形ストッパ４７が上記掛止片４８に掛止して、可動側レール４２の位置を保持するとともに、スライド棚１の姿勢を保持する。上記Ｎ形ストッパ４７を弾性変形させ掛止片４８から離脱させれば、スライド棚１と可動側レール４２の移動が自由になる。
【００４５】
一方、スライド棚１を展示室２に収容した状態で、スライド棚の下面に設けられる移動滑走板４５の前端一部が固定滑走板３４の後端部を介して支持側片３２の上端折曲片上に載る。
【００４６】
なお説明すると、上述したように支持側片３２上端は固定板３３が設けられる水平面３２ａと固定滑走板３４が設けられる傾斜面３２ｂとが連設され、この水平面３２ａと傾斜面３２ｂとのなす角部Ｋ上にスライド棚１の後部が載る。
【００４７】
スライド棚１の前端部がヒンジ具４６を介してスライドレール４０に取付けられているので、スライド棚１は傾斜する。したがって、スライド棚１の底面部ａ下面と、支持側片角部Ｋ前後において互いに隙間が形成される。
【００４８】
上記スライド棚１を展示室２から引出すと、スライド棚前端１ｂはヒンジ具４６を介して可動側レール４２とともに移動する。スライド棚後端１ａは角部Ｋを滑って傾斜面３２ｂに至り、さらには可動側レール４２上に載るようになっている。
【００４９】
したがって、スライド支持部３０は、スライド棚１を展示室２に収容した状態で、スライド棚後端１ａと一致する位置を傾斜始端５０とし、支持側片３２の傾斜前端とスライドレール４０との交点位置を傾斜終端５１とする、上記傾斜面５３を備えている。
【００５０】
この傾斜面５３は、傾斜始端５０から角部Ｋまでと、角部Ｋから傾斜終端５１までとの、２つの異なる傾斜角度のスロープから構成される。前者を第１のスロープＭと呼び、後者を第２のスロープＮと呼ぶ。
【００５１】
図からも明らかなように、第１のスロープＭは比較的緩い傾斜角度θａに形成され、第２のスロープＮは第１のスロープＭの傾斜角度θａよりも急な傾斜角度θｂに形成される。
【００５２】
上記第１のスロープＭに対する傾斜角度θａの設定により、この角度にスライド棚１を傾けた状態で商品Ｓを載置し、かつ最前位の商品Ｓを取出した際に後列の商品Ｓの全てが円滑に前方に移動して他なの後方に空き空間を形成できる条件を備える。
【００５３】
なお、上記第２のスロープＮは支持側片３２の傾斜面３２ｂ全長が相当するが、上記第１のスロープＭを構成する部材は実質的に存在せず、展示室２に収容したスライド棚底面部ａの角部Ｋ接触位置から後端１ａ（傾斜始端５０でもある）までの傾斜部分が対応する。
【００５４】
スライド棚１を展示室２に収容した状態で、スライド棚後端１ａが傾斜始端５０と一致した位置にある一方で、スライド棚前端１ｂは上記傾斜終端５１を跨いでスライドレール４０上に位置している。
【００５５】
一方、上記スライド棚１の底面部ａには、図示しないヒーターが内蔵されている。このヒーターに接続されるリード線６０はスライド棚１から突出して背面区画板１１を貫通する。なお、上記ヒーターは載置されたペットボトル飲料や缶飲料等の商品を必要に応じて温めるために設けられいる。
【００５６】
特に図３に示すように、上記スライド棚１を展示室２内に収容した状態で、スライド棚後端１ａと背面区画板１１との間には、上記リード線６０を収容するためのスペース６３が形成される。
【００５７】
図４（Ｂ）にも示すように、リード線収容スペース６３で、上記固定板３３上には、リード線６０を所定の長さで取付け固定するためのリード支え６５が取付けられている。
【００５８】
図６は、リード線６０を取付けたリード支え６５の概略の断面図である。
このリード支え６５において、リード線６０はたとえば樹脂製の結束バンド６６を用いて取付け固定される。上記リード支え６５は、断面Ｌ字状に折曲形成されていて、この折曲Ｌ字内にリード線６０が載る。
【００５９】
リード支え６５の立上り片部ｄには所定間隔を存して２ヶ所の孔部６７が設けられている。リード線６０に上記結束バンド６６を巻き付け、結束バンドの一端部を上記孔部６７に挿通し、この外部において結束する。したがって、リード線６０は結束バンド６６を介してリード支え６５に強固に取付け固定される。
【００６０】
リード支え６５の長手方向一端部に取付け用孔６８が設けられていて、ここに取付けねじ６９が挿通し上記固定板３３に取付けられる。上記取付け用孔６８は取付けねじ６９の杆部よりも大なる直径に形成されていて、リード支え６５は取付けねじ６９を中心に回動自在である。
【００６１】
すなわち、上記スライド棚１を展示室２内に収容した状態からスライド付勢して、スライド棚一部を展示室２から突出させ、あるいはこの突出位置から元の展示室２収容位置までスライドする。上記リード線６０は、スライド棚１の移動にともなって変形しなければならない。
【００６２】
スライド棚１後端と背面区画板１１との間にリード線収容用スペース６３を備えたので、スライド棚１を展示室２内に収容した状態で、リード線６０が異常な状態で絡み合うことがなく、確実にスライド棚１を展示室２に収容できる。
【００６３】
また、リード線６０を取付け保持するリード支え６５を、一端の取付けねじ６９を中心にして回動自在としたので、スライド棚１の移動時にリード支え６５が回動して、リード線６０が異常な状態で絡み合うことがなく、スライド棚１の円滑なスライドが保証される。
【００６４】
図７（Ａ）は、スライド棚１が展示室２内に収容された状態の斜視図であり、スライド棚後端に近接する背面区画板１１部位に蓋板７０が取付けられる。図７（Ｂ）は、上記蓋板７０を拡大して示した斜視図であり、ここには多数の小孔からなる冷気導通孔７１が設けられている。
【００６５】
一方、背面区画板１１には作業用開口部７２が上下方向に複数個設けられていて、上記蓋板７０は取付けねじ７３を介して上記作業用開口部７２に開閉自在に取付けられる。なお、リード線６０は蓋板７０下部の開口部７２から引き出される。
【００６６】
図７（Ｃ）は、上記作業用開口部７２に上記リード線６０を挿通したうえで、電源コード６１に設けられるコネクタ６２に接続する状態を示した斜視図である。
【００６７】
たとえば、背の高いペットボトルなどを展示室２に収容する場合にはスライド棚１を取外して収容高さを確保することがあり、もしくは必要に応じて新たにスライド棚１を追加することがある。
【００６８】
上記スライド棚１にはヒーターが内蔵され、このヒーターにはリード線６０が接続される。リード線６０は電気部品箱から冷気循環用ダクト１６を引き回される電源コード６１とコネクタ６２を介して接続しなければならない。
【００６９】
上記電源コード６１に対するリード線６０の接続作業をなす際には、図７（Ｂ）に示すように蓋板７０を取外し、図７（Ｃ）に示すように作業用開口部７２内においてコネクタ６２と接続する。
【００７０】
したがって、スライド棚１を着脱することにより、上下に移動する際のリード線６０の接続、取外し作業が自在になる。常に、各スライド棚１に対向する作業用開口部７２においてコネクタ６２の接続作業を行うため、位置的に各スライド棚１に接続される各リード線６０の長さを共通できる。
【００７１】
つぎに、特に図５を中心にして、棚支持機構２０に対するスライド棚１の位置と姿勢およびスライド状態を説明する。
図５（Ａ）ではスライド棚１を展示室２に収容した状態を示していて、上述したようにスライド棚後端１ａが傾斜面５３の傾斜始端５０と一致した位置にあり、スライド棚前端１ｂは傾斜終端５１を跨いでスライドレール４０上に取付けられる。
【００７２】
そして、スライド棚１後部が角部Ｋに載り、スライド棚１の底面部ａの下面は第２のスロープＮに接していない。結局、スライド棚１は第１のスロープＭに沿って傾斜しており、比較的緩い傾斜角度θａとなるよう支持されている。
【００７３】
展示室２前面の開口部８を介して最前位の商品Ｓを取出せば、後列の商品Ｓが自動的に棚１上を滑って移動し、空き空間を後方に戻す。これにより、商品の先入れ、先出しが確実に行われる。
【００７４】
必要に応じてスライド棚１を展示室２から引き出すべく、Ｎ形ストッパ４７を掛止片４８から開放してスライド棚前端１ｂもしくは可動側レール４２前端部を引き出す。この場合、第１のスロープＭに沿ってスライド棚１が引出されるので、引出しがスムーズに行われる。
【００７５】
図５（Ｂ）に示すように、可動側レール４２の固定側レール４１からの突出量が増大し、スライド棚後端１ａが第２のスロープＮ上を滑る。実際には、スライド棚１底面に設けられる移動滑走板４５がスライド支持部３０に設けられる固定滑走板３４に対して滑走する。
【００７６】
それぞれの滑走板４５，３４が高滑降特性を備えているので、スライド棚１のスライドが極めて円滑であるばかりでなく、滑走にともなう騒音（擦れ音）の発生を抑制する。
【００７７】
第２のスロープＮの傾斜角度θｂを第１のスロープＭの傾斜角度θａと比較して急角度に設定しているとともに、従来の傾斜面全長と比較して傾斜面長が短縮されているので、スライド棚１のスライド速度が速まって、スライド棚後端１ａが第２のスロープＮを早急に、かつ短時間に滑り下りる。
【００７８】
スライド棚前端１ｂは可動側レール４２に取付いたままであるので、スライド棚後端１ａが第２のスロープＮを滑ることで、スライド棚１の傾斜角度が二点鎖線で示す急な状態から漸次、実線で示す緩い状態に変る。
【００７９】
図５（Ｃ）に二点鎖線で示すように、可動側レール４２の突出量増大にともなってスライド棚１は水平姿勢に近ずく。実線で示すように、可動側レール４２が最大限引き出されると、スライド棚後端１ａは傾斜終端５１を越えて固定側レール４１先端もしくは可動側レール４２上に載り、スライド棚１全体が略水平姿勢になる。
【００８０】
このようにして、スライド棚１を引き出すと、第２のスロープＮは急角度で、かつ傾斜面長が短縮されているので、スライド棚後端１ａが第２のスロープＮに至ってから早急に移動して、引き出し時間が短縮され、操作性が良い。滑り終わる直前で勢いが和らぎ、水平姿勢になってスライド棚１が静止するので、商品の前倒れや飛び出しが全くなく、信頼性の向上を得られる。
【００８１】
なお、上記実施の形態においては、スライド支持部３０に形成される傾斜面５３を第１のスロープＭと第２のスロープＮの組み合わせからなるようにしたが、これに限定されるものではない。
【００８２】
たとえば、図８に模式的に示すようなスライド支持部３０Ａであってもよい。図８（Ａ）〜（Ｄ）は上記スライド支持部３０Ａに支持されたスライド棚１の移動状態を順に説明する図である。傾斜面５３Ａは単体のスロープからなり、その傾斜角度は先に説明した第２のスロープＮの傾斜角度θｂと略同一である。
【００８３】
図８（Ａ）はスライド棚１を展示室２内に収容した状態を示していて、この状態でスライド棚１の傾斜角度を先に説明した第１のスロープＭの傾斜角度θａと略同一になるよう設定してある。
【００８４】
そして、スライド棚後端１ａと傾斜始端５０との位置が一致し、スライド棚前端１ｂは傾斜終端５１を跨いでスライドレール４０上にヒンジ具を介して取付けられる。したがって、スライド棚底面部ａの下面と傾斜面５３Ａとは隙間が存在している。
【００８５】
図８（Ｂ）に示すように、スライド棚前端１ｂもしくは可動側レール４２の前端部を引き出すと、スライド棚後端１ａが傾斜面５３Ａ上を滑る。傾斜面５３Ａの傾斜角度設定により、従来の傾斜面長と比較して傾斜面全長が短縮されることでスライド棚１は早急に、かつ短時間で移動する。
【００８６】
図８（Ｃ）に示すように、可動側レール４２が最大限引き出される直前の位置で、スライド棚１が水平姿勢に近い状態になる。したがって、ここに載置されている商品の傾きが早急に矯正される。
【００８７】
図８（Ｄ）に示すように、可動側レール４２が最大限引き出されると、スライド棚後端１ａは傾斜面５３Ａを完全に滑り下り、傾斜終端５１を越えてスライドレール４０上に載り略水平姿勢になる。
【００８８】
このような構成であっても、スライド棚１を展示室２に収容した状態で上記傾斜角度θａと略同一の角度で傾斜しているので、最前位の商品を取出せば後列の商品が自動的に棚上を滑って移動し、空き空間を後方に戻す。これにより、商品の先入れ、先出しが確実に行われる。
【００８９】
スライド棚１を引き出すと、棚は上記傾斜角度θｂと略同一の角度の傾斜面５３Ａに沿って滑るので、早急に移動する。傾斜面５３Ａの傾斜面全長が短縮されることとあいまって、完全に引き出されるまでの時間が短縮され、操作性が良い。
【００９０】
そして、スライド棚１は傾斜面５３Ａを滑り終わる直前で勢いが和らぎ、水平姿勢になってから静止する。そのため、商品の前倒れや飛び出しが全くなく、信頼性の向上を得られる。
【００９１】
この他、本発明の要旨を超えない範囲内で種々変形実施可能であり、これら変形構成は全て本発明に含まれる。
【００９２】
【発明の効果】
以上説明したように本発明によれば、傾斜面の最適な傾斜角度を選択でき、傾斜面全長の短縮化を図って、商品の整列および棚の引出し操作の円滑化と操作性の向上化を図れる等の効果を奏する。
【図面の簡単な説明】
【図１】本発明の第１の実施の形態に係る、ショーケースの一部を省略した外観図。
【図２】同実施の形態に係る、スライド棚のスライド状態を順に示すショーケースの概略の断面図。
【図３】同実施の形態に係る、スライド棚を展示室に収容した状態と、展示室から引き出した状態のスライド棚とスライド支持部の構成図。
【図４】同実施の形態に係る、スライド棚を展示室に収容した状態と、展示室から引き出した状態のスライド棚とスライド支持部の斜視図。
【図５】同実施の形態に係る、スライド棚の移動状態を順に、かつ模式的に説明する図。
【図６】同実施の形態に係る、リード線の保持構造を説明する断面図。
【図７】同実施の形態に係る、リード線の処理状態を説明する斜視図。
【図８】本発明の他の実施の形態に係る、スライド棚の移動状態を順に、かつ模式的に説明する図。
【符号の説明】
８…開口部、７…ショーケース本体、２…展示室、２０…棚支持機構、１…スライド棚、５０…傾斜始端、５１…傾斜終端、５３…傾斜面、４０…スライドレール、Ｍ…第１のスロープ、Ｎ…第２のスロープ、４７…Ｎ形ストッパ、３４…固定滑走板、４５…移動滑走板、３３…固定板、６０…リード線、６５…リード支え、１６…冷気循環用ダクト、６３…リード線収容スペース、６２…コネクタ、７２…作業用開口部、７０…蓋板。
【図１】
2004230058.tif 000003
【図２】
2004230058.tif 000004
【図３】
2004230058.tif 000005
【図４】
2004230058.tif 000006
【図５】
2004230058.tif 000007
【図６】
2004230058.tif 000008
【図７】
2004230058.tif 000009
【図８】
2004230058.tif 000010